(57)【要約】  【課題】手提げ紙袋自体にボトルの保護機能を持たせることにより、ボトル収容の際の保護処理を省くことができ、しかもボトルの未収容時は通常の手提げ紙袋と同様に折り畳むことができるボトル収容用手提げ紙袋を提供する。  【解決手段】底面部１からそれぞれ立ち上がる前後面部３ａ，３ｂ及び１対の側面部４からなる、上部が開口した胴部２を有し、各側面部４を胴部２内方に折り曲げるとともに、底面部１を前後面部３ａ，３ｂの一方３ａ側に折り曲げることにより、全体が折り畳まれる手提げ紙袋であって、該紙袋内に収容されるボトルＢの胴部を保護するためのボトル胴部保護部材１０を備え、ボトル胴部保護部材１０は、前後面部３ａ，３ｂの一方３ａの内面に固着される取付け部１２と、取付け部１２に折り曲げ可能に設けられ、ボトルＢの胴部を挿通するための穴１６が形成されたボトル胴部保持部１３とを有する板片を備えている。  【選択図】  図２
2006264700.tif 000002
【特許請求の範囲】
【請求項１】
底面部からそれぞれ立ち上がる前後面部及び１対の側面部からなる、上部が開口した胴部を有し、各側面部を胴部内方に折り曲げるとともに、前記底面部を前後面部の一方側に折り曲げることにより、全体が折り畳まれる手提げ紙袋であって、
該紙袋内に収容されるボトルの胴部を保護するためのボトル胴部保護部材を備え、
このボトル胴部保護部材は、前記前後面部の一方の内面に固着される取付け部と、
この取付け部に折り曲げ可能に設けられ、ボトルの胴部を挿通するための穴が形成されたボトル胴部保持部とを有する板片
を備えていることを特徴とするボトル収容用手提げ紙袋。
【請求項２】
ボトルの底部を保護するための板片からなるボトル底部保護部材を備えていることを特徴とする請求項１記載のボトル収容用手提げ紙袋。
【請求項３】
前記ボトル底部保護部材は、紙袋内の前記底面部に固着されることを特徴とする請求項２記載のボトル収容用手提げ紙袋。
【請求項４】
前記ボトル胴部保護部材は、前記ボトル胴部保持部を前記取付け部に対して略９０度折り曲げたとき、該ボトル胴部保持部を支持する支持部材を備えている請求項１〜３のいずれか１記載のボトル収容用手提げ紙袋。
【請求項５】
前記支持部材は、前記ボトル胴部保持片に折り曲げ可能に設けられ、前記底面部に支持される脚部であることを特徴とする請求項４記載のボトル収容用手提げ紙袋。
【請求項６】
前記支持部材は、前記前後面部の他方の内面に固着されることを特徴とする請求項４記載のボトル収容用手提げ紙袋。
【請求項７】
前記ボトル底部保護部材は、前記紙袋の胴部内周との間に隙間が形成されるように前記底部に固着され、この隙間にボトル胴部保護部材の前記脚部が嵌入されることを特徴とする請求項５記載のボトル収容用手提げ紙袋。
【請求項８】
前記底部保護部材は、前記ボトル胴部保護部材の前記脚部に折り曲げ可能なように一体に設けられていることを特徴とする請求項５記載のボトル収容用手提げ紙袋。
【発明の詳細な説明】
【技術分野】
【０００１】
この発明は、ボトル収容用手提げ紙袋に関し、さらに詳細には、例えばワインや清酒などの飲料が入ったガラス製のボトルを収容し、持ち歩くのに好適な手提げ紙袋に関する。
【背景技術】
【０００２】
ガラス製のボトルに詰められたワインや清酒などは、重量があることから、持ち歩きやすいように、一般には、手提げ紙袋に入れて販売されることが多い。その際、ボトルをそのまま手提げ紙袋に収容したのでは、持ち歩いてるときに衝撃を受けると、ボトルが簡単に割れてしまう。このため、販売店では、ボトルに包装紙を幾重にも巻きつけたり、あるいは緩衝用の包装材を巻きつけるといったような、ボトルを保護するための処理サービスがなされている。
【０００３】
しかし、上記のようなボトルの保護処理は、販売店にとって多大な手間を必要とする。また、購買者側にとっても、包装材を取り除く手間がかかる。さらに、ボトルを保護するための包装資材は、その性質上、量が多くなり廃棄物増加の原因ともなる。
【０００４】
なお、この出願の発明に関連する先行技術情報として、特許文献１，２を挙げることができる。特許文献１には、瓶を収容できる手提げ袋が開示されているが、瓶を保護して割れを防ぐことについては、何ら言及がない。特許文献２に開示の技術は、ガラス瓶等を収容する紙箱に関するものであり、手提げ紙袋に適用はできない。
【特許文献１】特開２００１−１２９９００号公報
【特許文献２】特開平８−１５１０３１号公報
【発明の開示】
【発明が解決しようとする課題】
【０００５】
この発明は上記のような技術的背景に基づいてなされたものであって、次の目的を達成するものである。
この発明の目的は、手提げ紙袋自体にボトルの保護機能を持たせることにより、ボトル収容の際の保護処理を省くことができ、しかもボトルの未収容時は通常の手提げ紙袋と同様に折り畳むことができるボトル収容用手提げ紙袋を提供することにある。
【課題を解決するための手段】
【０００６】
この発明は上記課題を達成するために、次のような手段を採用している。
すなわち、この発明は、底面部からそれぞれ立ち上がる前後面部及び１対の側面部からなる、上部が開口した胴部を有し、各側面部を胴部内方に折り曲げるとともに、前記底面部を前後面部の一方側に折り曲げることにより、全体が折り畳まれる手提げ紙袋であって、
該紙袋内に収容されるボトルの胴部を保護するためのボトル胴部保護部材を備え、
このボトル胴部保護部材は、前記前後面部の一方の内面に固着される取付け部と、
この取付け部に折り曲げ可能に設けられ、ボトルの胴部を挿通するための穴が形成されたボトル胴部保持部とを有する板片
を備えていることを特徴とするボトル収容用手提げ紙袋にある。
【０００７】
さらに、ボトルの底部を保護するための板片からなるボトル底部保護部材を備えている構成を採るとよい。より具体的には、前記ボトル底部保護部材は、紙袋内の前記底面部に固着される。
【０００８】
また、前記ボトル胴部保護部材は、前記ボトル胴部保持部を前記取付け部に対して略９０度折り曲げたとき、該ボトル胴部保持部を支持する支持部材を備えている構成を採るとよい。より具体的には、前記支持部材は、前記ボトル胴部保持片に折り曲げ可能に設けられ、前記底面部に支持される脚部である。前記支持部材は、前記前後面部の他方の内面に固着される構成とすることもできる。
【０００９】
また、前記ボトル底部保護部材は、前記紙袋の胴部内周との間に隙間が形成されるように前記底部に固着され、この隙間にボトル胴部保護部材の前記脚部が嵌入される構成を採るとよい。前記底部保護部材は、前記ボトル胴部保護部材の前記脚部に折り曲げ可能なように一体に設けられている構成とすることもできる。
【発明の効果】
【００１０】
この発明によれば、手提げ紙袋はボトル胴部保護部材を有し、このボトル胴部保護部材によってボトルが定位置に保持され、手提げ紙袋の胴部との間には空間が形成されることとなる。したがって、ボトルが収容された手提げ紙袋を持ち歩いているとき、紙袋胴部に衝撃を受けても衝撃が緩和され、ボトルが割れるのを防止できる。しかも、ボトル胴部保護部材は紙袋胴部の前後面部の一方に取り付けられるので、ボトルの未収用時は通常の手提げ紙袋と同様に折り畳むことができ、嵩張ることがない。
【００１１】
また、ボトル底部保護部材を併せて設けることにより、手提げ紙袋を誤って落としても衝撃が緩和されるので、ボトルが割れるのを防止することができる。
【発明を実施するための最良の形態】
【００１２】
この発明の実施形態を図面を参照しながら以下に説明する。図１は、この発明の実施形態を示す斜視図である。図１において、（ａ）は手提げ紙袋の胴部を筒状に拡げた状態を示し、（ｂ）は全体を折り畳んだ状態を示している。これら（ａ）及び（ｂ）の状態とも、外観上は従来の一般的な手提げ紙袋と全く同様である。
【００１３】
すなわち、手提げ紙袋は、底面部１から立ち上がり上部が開口した胴部２を有している。胴部２は前後面部３ａ，３ｂ（いずれを前面部又は後面部と捉えてもよい）と、１対の側面部４とからなっている。各側面部４の中央に縦方向に形成された縦折り線５、胴部２の下部にその半周に亘って形成された横折り線６、及び各側面部４における横折り線６の端から側面部４と前後面部３ａ，３ｂとの境界をなす稜線７の下端にかけて形成された斜め折り線８は、従来と同様のものである。提げ手９となる紐などの部材は、前後面部３ａ，３ｂの上部にそれぞれ設けられている。
【００１４】
ここで、横折り線６は、側面部４の幅の１／２の寸法に相当する高さ位置に設けられている。したがって、各側面部４を縦折り線５に沿って胴部２の内方に折り曲げ、同時に底面部１を横折り線６及び斜め折り線８に沿って前後面部の３ａ，３ｂの一方３ａ側（折り線６が形成された側）に折り曲げることにより、紙袋全体を図１（ｂ）に示すように折り畳むことができる。
【００１５】
図２は、上記手提げ紙袋の縦断面図であり、（ａ）はボトルの未収容状態を示し、（ｂ）はボトル収容状態を示している。図３は図２（ｂ）のＡ−Ａ線矢視断面図、図４は同図のＢ−Ｂ線矢視断面図である。なお、各断面図において紙袋の厚みは省略してある。手提げ紙袋の内部にはボトル胴部保護部材１０とボトル底部保護部材１１とが設けられている。ボトル胴部保護部材１０は、図５にも平面図で示すように、長方形の板片からなっている。この板片は、比較的薄い段ボール紙で作られるが、合成樹脂や木材その他の軽量な材料で作ることもできる。
【００１６】
ボトル胴部保護部材１０は、具体的には、一方の端部側から順に、取付け部１２、ボトル胴部保持部１３及び脚部１４からなっている。各部の境目には、切り込み１５が入れられている。これにより、取付け部１２に対しボトル胴部保持部１３が、ボトル胴部保持部１３に対して脚部１４がそれぞれ折り曲げ可能となっている。ボトル胴部保持部１３にはボトルの胴部が挿通される穴１６が形成されている。この穴の周縁には、径の異なったボトルを挿入できるように、多数の切り込み１７が放射状に形成されている。
【００１７】
ボトル胴部保護部材１０は、図２（ａ）に示すように、その取付け部１２が前後面部３ａ，３ｂの一方の内面に固着される。固着は接着剤による貼り付けでもよいし、割ピンやリベットなどの固着具を用いてもよい（以下の各部材に関する固着も同様）。ボトル胴部保護部材１０を取り付ける面部は、前後面部３ａ，３ｂの一方でなければならない。側面部４に取り付けると、図１（ｂ）のように、紙袋を折り畳むことができないからである。また、ボトル胴部保護部材１０は、前後面部３ａ，３ｂのいずれか一方に取り付ければよいが、図２（ａ）のように、折り線６が形成される側の面部３ａに取り付ける場合は、折り線６よりも上方位置に取り付ける必要がある。折り線６よりも下方位置に取り付けると、やはり紙袋を折り畳めないからである。
【００１８】
ボトル底部保護部材１１は、図２に示すように、クッション性を有する四角形の板片からなっている。この板片は、比較的厚みのある段ボール紙で作ることができるが、ゴム板を用いることもできる。このボトル底部保護部材１１は、胴部２内の底面部１の上に接着剤などにより固着される。ボトル底部保護部材１１は、胴部２の内周との間に隙間が形成される大きさのものである。隙間がないと紙袋を折り畳むことができないわけではないが、底面部１の外周が厚くなって折り畳みにくくなるからである。
【００１９】
ボトル底部保護部材１１と胴部２との間に形成される隙間のうち、ボトル胴部保護部材１０が取り付けられる面部３ａと対向する側の面部３ｂとの間に形成される隙間１８は、所定大きさのものとなっている。この隙間１８の大きさは、ボトル胴部保護部材１０の脚部１４が嵌入して、後述するようにストッパとして機能する程度の大きさである。これ以外の隙間は適宜大きさとすればよい。また、形状も円形、多角形などとすることができる。要は、脚部１４を嵌入できる隙間があり、かつ紙袋に収容されるボトルを載せることができるものであればよい。
【００２０】
次に上記手提げ紙袋の使用態様について説明する。ボトルの未収容状態のときは、ボトル胴部保護部材１０は、図２（ａ）に示すように、取付け部１２に対してボトル胴部保持部１３を折り曲げずに伸ばし、脚部１４をボトル胴部保持部１３に対して折り畳んでおく。あるいは、脚部１４も伸ばしておいてもよい。ボトル胴部保護部材１０をこのようにしておくことにより、図１（ｂ）に示したように、手提げ紙袋を折り畳むことができる。この折り畳んだ状態は、先にも記載したように、外観上、通常の手提げ紙袋と何ら変わるところがない。したがって、店舗等において、この発明による手提げ紙袋を多数備えていても、嵩張ることがない。
【００２１】
手提げ紙袋にワインや清酒などのガラス製ボトルを収容するときは、図１（ｂ）の折り畳んだ状態から、図２（ａ）に示すように胴部２を筒形に拡げる。そして、図２（ｂ）に示すように、取付け部１２に対してボトル胴部保持部１３を略９０度折り曲げるとともに、ボトル胴部保持部１３に対して脚部１４を略９０度折り曲げ、脚部１４を隙間１８に嵌入させる。これにより、胴部２は筒形に保たれる。脚部１４を隙間１８に嵌入することにより、ボトル底部保護部材１１がストッパの役目をなすので、脚部１４は底面部１上で位置ずれを生じることがない。したがってボトル胴部保持部１３は下方に傾くことはなく、胴部２の形状がくずれることはない。この状態でボトルＢをボトル胴部保持部１３の穴１６に挿通させ、その底部をボトル底部保護部材１１に載置させる。
【００２２】
上記のようにして手提げ紙袋に収容されたボトルＢは、紙袋を持ち歩いてもその内部で動くことはなく、胴部２との間には一定の空間が形成される。したがって、胴部２に横方向の衝撃が加わっても、ボトルＢに加わる衝撃は緩和され、ボトルＢが割れるのを防ぐことができる。また、手提げ紙袋を誤って落とすというような、縦方向の衝撃が加わってもボトル底部保護部材１１によって衝撃が緩和されるので、ボトルＢが割れることはない。
【００２３】
なお、手提げ袋の持ち歩き時には、提げ手９を束ねて持つため、胴部２はボトル胴部保持部１３から離れた上部にゆくにつれて側面部４が幾分か折れ曲がり徐々にすぼまる（図３の胴部２参照）。しかし、このボトル胴部保持部１３から離れた胴部２の部分に関しても、ボトル胴部保持部１３の胴部２に対する拡開作用は効いており、この部分でも衝撃緩和作用が働く。
【００２４】
ここで、ボトル胴部保持部１３の外形寸法について説明する。図５に示すように、この実施形態では、ボトル胴部保持部１３の外形寸法は手提げ紙袋の胴部２の内法と略等しくなっている。すなわち、胴部２の側面部４に沿うボトル胴部保持部１３の一方の対辺の寸法Ｓ1 は側面部４の幅寸法（内法）と略等しく、また他方の対辺の寸法Ｓ2 は前後面部３ａ，３ｂの幅寸法（内法）と略等しくなっている。
【００２５】
このように、ボトル胴部保持部１３の外形寸法を胴部２の内法と略等しくすることにより、ボトル胴部保持部１３の外周全体が胴部２によって拘束されるので、ボトルＢを確実に定位置に保持することができる。したがって、脚部１４は必ずしも設けなくともよいが、ボトルＢをボトル胴部保持部１３の穴１６に挿入するとき、該保持部１３が下方に傾かないように胴部２の周囲を押さえ込む必要があるので、脚部１４を設けるのが望ましい形態である。
【００２６】
なお、ボトル胴部保持部１３の外形寸法は、上記に限定されるものではない。特に、対辺寸法Ｓ2 については、前後面部３ａ，３ｂの幅寸法（内法）よりも多少小さくとも、十分に緩衝効果を期待できる。また、対辺寸法Ｓ1 についても側面部４の幅寸法（内法）よりも小さくすることが可能である。この場合、底面部１にボトル底部保護部材１１と協働して溝（隙間）を形成する突起や突条などからなるストッパ（図示せず）を設け、この溝に脚部１４を嵌入するようにすれば、脚部１４の位置ずれを防ぐことができる。
【００２７】
図６は、別の実施形態を示す縦断面図であり、（ａ）はボトルの未収容状態を示し、（ｂ）はボトル収容状態を示している。図２に示した実施形態では、ボトル胴部保持部１３を取付け部１２に対して略９０度折り曲げたとき、これを支持する支持部材である脚部１４は、ボトル胴部保持部１３と一体となった板片として設けられている。図６に示す実施形態では、支持部材１９は板片とは別体となっている。この支持部材１９は、突条あるいは複数の突起からなり、前後面部３ａ，３ｂの他方（取付け部１２が取り付けられる面部と対向する側の面部）３ｂの内面に固着される。この実施形態の場合も図２に示した実施形態と同様の緩衝効果が得られる。
【００２８】
図７は、さらに別の実施形態を示す縦断面図であり、（ａ）はボトルの未収容状態を示し、（ｂ）はボトル収容状態を示している。図２及び図３に示した実施形態では、ボトル底部保護部材１１はボトル胴部保護部材１０と別体となっている。この実施形態は、ボトル底部保護部材１１をボトル胴部保護部材１０と一体に設けたものである。すなわち、ボトル胴部保護部材１０及びボトル底部保護部材１１が１つの板片となっていて、ボトル底部保護部材１１は脚部１４に対して切り込み１５により折り曲げ可能となっている。この実施形態の場合も図２に示した実施形態と同様の緩衝効果が得られる。
【００２９】
上記各実施形態は例示にすぎず、この発明は種々の態様を採ることができる。例えば、上記各実施形態ではボトルを１本収容する手提げ紙袋が示されているが、複数本収容する構造とすることもできる。この場合、いうまでもなく、ボトル胴部保持部１３には複数個の穴を設けることになる。また、手提げ紙袋の材質は紙そのものに限らず、高級感を出すために表面にラミネート加工を施してもよく、このようにすることによりワインや清酒を収容して、そのまま違和感なく贈答用として使うことができる。
【図面の簡単な説明】
【００３０】
【図１】この発明の実施形態を示す斜視図であり、（ａ）は手提げ紙袋の胴部を筒状に拡げた状態を示し、（ｂ）は全体を折り畳んだ状態を示している。
【図２】同実施形態のものの縦断面図であり、（ａ）はボトルの未収容状態を示し、（ｂ）はボトル収容状態を示している。
【図３】図２（ｂ）のＡ−Ａ線矢視断面図である。
【図４】図２（ｂ）のＢ−Ｂ線矢視断面図である。
【図５】ボトル胴部保護部材の平面図である。
【図６】別の実施形態を示す縦断面図であり、（ａ）はボトルの未収容状態を示し、（ｂ）はボトル収容状態を示している。
【図７】さらに別の実施形態を示す縦断面図であり、（ａ）はボトルの未収容状態を示し、（ｂ）はボトル収容状態を示している。
【符号の説明】
【００３１】
１      底面部
２      胴部
３ａ，３ｂ      前後面部
４      側面部
５      縦折り線
６      横折り線
８      斜め折り線
９      提げ手
１０      ボトル胴部保護部材
１１      ボトル底部保護部材
１２      取付け部
１３      ボトル胴部保持部
１４      脚部
１５      切り込み
１６      穴
１７      切り込み
１８      隙間
１９      支持部材
【図１】
2006264700.tif 000003
【図２】
2006264700.tif 000004
【図３】
2006264700.tif 000005
【図４】
2006264700.tif 000006
【図５】
2006264700.tif 000007
【図６】
2006264700.tif 000008
【図７】
2006264700.tif 000009